(57)【要約】【課題】従来の電子錠はドアに電子錠を組み込み、機能させているため、設置が困難で高価であった。そこで、低コストで容易に設置することができる脱着可能な電子錠装置を提供する。【解決手段】サムターンと着脱可能なドアノブが一体となっているドアにおいて、サムターンのつまみから伸びるサムターン軸を回転駆動する駆動手段をドアの裏面とドアノブとの間に備え、サムターン軸と駆動手段を結合するサムターン結合手段を備え、ドアの裏面のサムターン軸とドアの表面のサムターン軸を接続するサムターン軸中継軸を備え、ドアの裏面のドアノブ回転軸とドアの裏面のドアノブ回転軸を接続するドアノブ回転軸中継軸を備え、前記駆動手段の操作を行う制御手段をドアの裏面に備え、前記制御手段への指示手段をドアに備え、前記指示手段からの情報に基づき、サムターン軸を前記サムターン結合手段を通して前記駆動手段で回転させる電子錠装置を提供することで電子錠を容易にかつ低コストで実現する。【選択図】図１
2007198062.tif 000002
【特許請求の範囲】
【請求項１】
サムターンとドアノブが一体となっているドアにおいて、ドアに設けられた錠を解錠または施錠方向へ回転させるためのサムターンと駆動手段との結合手段と、その結合手段を用いてサムターンを解錠方向および施錠方向へ回す駆動手段と、前記駆動手段の操作を行う制御手段をドアの裏面に備え、前記制御手段への指示手段をドアに備え、前記指示手段からの情報に基づき、サムターンを前記結合手段を通して前記駆動手段で回転させる電子錠装置。 
【請求項２】
ドアノブに電子錠装置を取り付けるために、ドアノブと電子錠装置との結合手段をドアの裏面にあるドアノブに備えた請求項１記載の電子錠装置。 
【請求項３】
ドアノブに電子錠装置を取り付けるために、ドアノブの回転軸と電子錠装置との結合手段をドアノブとドアの裏面との間に備えた請求項１記載の電子錠装置。 
【請求項４】
ドアの開閉状態を検出する手段をドアの表裏いずれか一方の面に備えた請求項１記載の電子錠装置。 
【請求項５】
前記指示手段からの情報伝達の手段として、前記指示手段からの情報をパルス振動に変調し、ドアの表裏いずれか一方の面から与え、ドアの表裏のもう一方の面で前記パルス振動を受信する振動通信を行う請求項１記載の電子錠装置。 
【発明の詳細な説明】
【技術分野】
【０００１】
本発明は、既存のサムターンを有する錠に対して脱着が容易に行える電子錠装置に関するものである。 
【背景技術】
【０００２】
従来の電子錠は、電磁ソレノイドや電気モータ等による錠の駆動手段をドアの内部に設け、施錠または解錠を行うものである。 
【０００３】
従来の電子錠は、通常のドアの錠とは構造が異なるため、設置するためには既設のドアの錠をすべて取り除き、新しく取り替えなければならない。 
【０００４】
実用新案登録３０９７４４５号で開示されている電気錠アダプターは、サムターンをコの字型の係合手段を用いて駆動手段により駆動しており、その駆動手段は赤外線リモコンからの操作によりサムターンを施錠または解錠方向へ駆動する電気錠アダプターである。しかしながら、実用新案登録３０９７４４５号で開示されている電気錠アダプターは赤外線リモコンで操作して駆動手段を動作させるため、ガラスなどの赤外線を通す材質を用いたドアでしか利用できない。更に、駆動手段を搭載する本体へリモコンを向けて操作しなければならないため、本体の設置されている面である裏面とは別の面である表面から駆動手段を動作することが困難または不可能であった。 
【０００５】
実用新案登録３０９７４４５号では、特定多数で部屋などを利用する場合においては、人数分のリモコンを用意しなければならいことで非常にコストがかかり、更に多数のリモコンを管理することが大変であった。 
【０００６】
実用新案登録３０８２２４０号で開示されているピッキング防止装置では、外部からの操作で駆動手段を作動させ錠のサムターンに対して操作を行っており、ピッキング可能な回転トルクより大きなトルクを錠のサムターンに対して加えることでピッキングを防止するピッキング防止装置であり、錠のサムターンを駆動して錠の解錠または施錠する機能を有するものではない。 
【０００７】
特開平９−１６５９４９号で開示されている電子錠は、スイッチにより無線信号を送信する送信ユニットと無線信号を受信してドアの錠のサムターンを回転駆動する回転駆動手段を設けた電子錠である。しかしながら、特開平９−１６５９４９号で開示されている電子錠は、サムターンとの結合手段を用いていないために、図１から図４のようなサムターンとドアノブが一体となったドアにおいて、サムターンの軸との結合が不可能であるため、サムターンとドアノブが一体となったドアに取り付けることができない。 
【０００８】
特開平９−１６５９４９号では、特定多数で部屋などを利用する場合においては、人数分の送信ユニットを用意しなければならいことで非常にコストがかかり、更に多数の送信ユニットを管理することが大変であった。 
【０００９】
実用新案登録３０９７４４５号で開示されている電気錠アダプターと特開平９−１６５９４９号で開示されている電子錠では、ドアの開閉センサを用いていないために、ドアが解放している状態であっても、装置が錠を施錠または解錠をする可能性があるため、ドアの施錠または解錠が不完全になることがある。 
【００１０】
【特許文献１】実用新案登録３０９７４４５号
【特許文献２】実用新案登録３０８２２４０号
【特許文献３】特開平９−１６５９４９号
【発明の開示】
【発明が解決しようとする課題】
【００１１】
従来の電子錠はドア内部に電子錠の装置を組み込んで機能させていたため、設置するためにはドア自体を取り替えるかまたは、ドアに既設された錠の部分をすべて取り替える必要があった。 
【００１２】
このため、従来の電子錠は容易に設置できるものではなく、設置にコストがかかってしまうなどの問題があった。 
【００１３】
従来の電子錠ではドアの錠自体を取り替えるために取り替えた後に取り替える前の状態に戻すことが困難である。そのため、賃貸住宅や借用している部屋のドアに設置し、後に部屋の返却をするときに、取り替える前の状態に戻すことが困難であった。 
【００１４】
従来の電子錠ではドアの錠自体を取り替えるために、既設の錠を残して、既設の錠と電子錠を併用することができなかった。 
【課題を解決するための手段】
【００１５】
本発明は、サムターンとドアノブが一体となっているドアにおいて、ドアに設けられた錠を解錠または施錠方向へ回転させるためのサムターンと駆動手段との結合手段と、その結合手段を用いてサムターンを解錠方向および施錠方向へ回す駆動手段と、前記駆動手段の操作を行う制御手段をドアの裏面に備え、前記制御手段への指示手段をドアに備え、前記指示手段からの情報に基づき、サムターンを前記結合手段を通して前記駆動手段で回転させる電子錠装置を提供することで上記問題を解決するものである。 
【００１６】
第２の課題解決手段は、ドアノブに電子錠装置を取り付けるために、ドアノブと電子錠装置との結合手段をドアの裏面にあるドアノブに備えたものである。 
【００１７】
第３の課題解決手段は、ドアノブに電子錠装置を取り付けるために、ドアノブの回転軸と電子錠装置との結合手段をドアノブとドアの裏面との間に備えたものである。 
【００１８】
第４の課題解決手段は、ドアの開閉状態を検出する手段をドアの表裏いずれか一方の面に備えたものである。 
【００１９】
前記指示手段からの情報伝達の手段として、前記指示手段からの情報をパルス振動に変調し、ドアの表裏いずれか一方の面から与え、ドアの表裏のもう一方の面で前記パルス振動を受信する振動通信を行うものである。 
【発明の効果】
【００２０】
この構成によれば、既設の錠のサムターンとの結合手段を用いることでサムターンを有する錠ならば、電子錠装置の駆動手段とドアの錠を容易に結合することができる。また、既設の錠またはドアへの加工を必要としないため、電子錠装置を容易かつ低コストで設置することができる。 
【００２１】
この構成によれば、本電子錠は既設の錠に取り付けられるため、本装置を装着しても既設の錠と電子錠を併用することができる。 
【００２２】
この構成によれば、請求項１の指示手段を、ドアの表面に設けることで、サムターンがある面であるドアの裏面にもうけられている請求項１の結合手段と駆動手段と制御手段によるドアの錠の解錠または施錠をドアの表面から行うことができる。 
【００２３】
この構成によれば、請求項１の指示手段には、テンキーやIDカードのような手段も用いることができるため、特定多数から請求項１の結合手段と駆動手段と制御手段によるドアの錠の解錠または施錠をドアの表面から行うことができる。 
【００２４】
以上のように、本発明によれば、既設の錠のサムターンとの結合手段を用いることでサムターンを有する錠ならば、既設の錠への加工を必要とせず容易にかつ低コストで装着することができ、指示手段を用いることで、ドアの表面からドアの施錠または解錠ができ、既設の錠と電子錠を併用することも可能となる。 
【発明を実施するための最良の形態】
【００２５】
以下、本発明の実施例のを図１〜図７に基づいて説明する。ここで、図１は錠のサムターンとドアノブが一体となっているドアにおいて、ドアノブと電子錠装置との結合手段１１を備えた、本発明の実施の形態にかかる既設のドアに着脱可能な電子錠装置の分解斜視図、図２は図１の断面図、図３は錠を施錠方向または解錠方向に回転させるサムターンの軸１５との結合手段１を備えた本発明の実施の形態にかかる既設のドアに着脱可能な電子錠装置の分解斜視図、図４は図３の断面図、図５は本発明の実施の形態にかかる既設のドアに着脱可能な電子錠装置の指示手段４の斜視図、図６は本発明の実施の形態にかかる既設のドアに着脱可能な電子錠装置における回路構成を簡略的に示すブロック図、図７は本発明の実施の形態にかかる既設のドアに着脱可能な電子錠装置における制御動作を簡略的に示すフローチャート図である。 
【００２６】
図１から図５に示すように、この既設のドアに着脱可能な電子錠装置は、錠のサムターンのつまみ５とサムターンの軸１５からなるサムターンとの結合手段１と、結合手段１を介して錠を解錠方向または施錠方向へ回転させる駆動手段２、駆動手段２を制御する制御手段３、制御手段３へ解錠または施錠の指示を促す信号を発信する指示手段４、により構成されている。また、上記結合手段１と、上記駆動手段２、上記制御手段３はドアの裏面６に備えられ、上記指示手段４はドアの表面７へ備えられる。 
【００２７】
図１と図２に示すように、錠のサムターンのつまみ５とドアノブ８とが一体となっているドアにおいて、ドアからドアノブ８の取り外しが不可能なドアの場合は、サムターンのつまみ５にサムターンのつまみ５との結合手段１を取り付け、駆動手段２をドアノブ８と電子錠装置との結合手段１１を介して固定する。また、制御手段３はドアの裏面６に備えられ、指示手段４はドアの表面７へ備えられる。錠の解錠または施錠は、サムターンのつまみ５に取り付けた結合手段１を介して駆動手段２で解錠方向または施錠方向へ回転させることで行う。 
【００２８】
図２に示すように、駆動手段２をドアノブ８と電子錠装置との結合手段１１を介して固定することで、錠のサムターンのつまみ５とドアノブ８とが一体となっているドアにおいても、錠の解錠または施錠は、サムターンのつまみ５に取り付けた結合手段１を介して駆動手段２で解錠方向または施錠方向へ回転させることで行うことができる。 
【００２９】
図３と図４で示すように、錠のサムターンのつまみ５とドアノブ８とが一体となっているドアにおいて、ドアからドアノブ８の取り外しが可能なドアの場合は、ドアに設けられているドアノブ８を取り外し、ドアの裏面６とドアノブ８の間に駆動手段を備える。指示手段４はドアの表面７へ備えられる。錠の解錠または施錠はサムターンの軸１５に取り付けた結合手段１を介して駆動手段２で解錠方向または施錠方向へ回転させることで行う。 
【００３０】
このとき、ドアの裏面６からサムターンのつまみ５を人の手で回しても、サムターンの軸１５を回転させられるようにするために、結合手段１にサムターンの軸１５の中継軸１８が備えられている。 
【００３１】
また、本装置を取り付けてもドアノブ８を人の手で回転させてドアの開閉を可能にするために、ドアノブの回転軸１６とドアノブの回転軸の中継軸１９をドアノブ回転軸との結合手段２１で結合している。 
【００３２】
図３と図４で示すように、ドアに設けられているドアノブ８を取り外し、ドアの裏面６とドアノブ８の間に駆動手段を備えることで、錠のサムターンのつまみ５とドアノブ８とが一体となっているドアにおいても、錠の解錠または施錠はサムターンの軸１５に取り付けた結合手段１を介して駆動手段２で解錠方向または施錠方向へ回転させることができる。 
【００３３】
図１から図４で示される駆動手段２は、サムターンのつまみ５またはサムターンの軸１５を結合手段１で解錠方向または施錠方向へ回転させるものある。この駆動手段２は、モータやソレノイドなどを用いるが、これに限るものではない。 
【００３４】
図１から図４で示される制御手段３とは、指示手段４からの信号を受信回路２５で受信し、その信号に基づいて解錠または施錠するか否かを判断し解錠または施錠を実行するものである。また、制御手段３は駆動手段２を操作して錠の解錠または施錠を実行する。 
【００３５】
図１から図４で示されるドアの開閉状態検出手段１４は、ドアの開閉状態を検出して、制御手段３に伝達する。ドアの開閉状態検出手段１４によって検出したドアの開閉状態が閉の時のみ、制御手段３によってドアの施錠をする。また、ドアの開閉状態検出手段１４には、磁気センサや赤外線センサなどを用いてもよいし、これに限るものでない。 
【００３６】
図５で示すように、本装置の指示手段４は、ドアの表面７（鍵差し込み口１０の備えられてある方）に備えられ、指示手段４は図７に示すキーパッドのような入力装置２２からの信号を送信回路２４を用いて制御手段３に伝送する。指示手段４には、ＩＤカードや指紋照合、声紋照合などを用いてもよいし、これに限るものではない。 
【００３７】
図５で示すように、指示手段４は錠の鍵差し込み口１０をふさがない構造になっているので、本装置の故障や電源不足によって本装置が動作しなくなっても、既存の鍵を鍵差し込み口に差して錠を施錠または解錠することができる。 
【００３８】
図６に示すように、本装置の回路構成は、キーパッドなどの入力装置２２と、入力された情報を制御手段３へ送信する送信回路２４から構成される指示手段４、指示手段４からの情報を受ける受信回路２５と、ドアの開閉状態検出手段１４や解錠施錠用ボタン１２からの信号に従って駆動手段２を操作する制御回路２３から構成される制御手段３で構成される。 
【００３９】
図７で指示手段４の処理手順を示す。ステップS１においてキーパッドによる情報の入力をする。ステップS２で入力された情報を制御手段３に向けて送信回路２４を用いて送信する。 
【００４０】
図７で制御手段３の処理手順を示す。ステップS３では、ドアの裏面６に備えてある錠の解錠ボタン１２が押されたかを判断する。ステップS３においてボタン１２が押されていれば内側からの解錠要求なのでステップS７へ進む。ステップS３においてボタン１２が押されていなければステップS４へ進む。ステップS４では指示手段４からの情報信号を受信しているかを判断する。ステップS４において受信していなければ、再びステップS３へ戻る。ステップS４において情報信号を受信していればステップS６へ進む。ステップS６ではS５の認証識別用のデータと受信信号を照らし合わせる。ステップS６において信号が一致しなければ再びステップS３へ戻る。ステップS６において信号が一致していれば解錠を許可されるのでステップS７へ進む。ステップS７では駆動手段２を駆動して錠を解錠する。このときに初めてドアを開閉できるようになる。そして、ステップS８へ進む。ステップS８ではドアの開閉状態検出手段１４を用いてドアの開閉の状態を判断し、ドアが開放されるまで待機する。ドアが一度開放されるとステップS９へ進む。ステップS９でもドアの開閉センサ対１４を用いてドアの開閉の状態を判断し、ドアが閉じられるまで待機する。ステップS９においてドアが閉められると、再びステップS３の状態に戻りドアの錠を施錠する。 
【００４１】
情報通信の手段として、ドアの表裏いずれかの一方の面からパルス振動を与え、ドアの表裏のもう一方の面でそのパルス振動を受信する振動通信を行う方法を備える。まず、送信回路２４を用いて振動パルスをドアに与える。パルス振動を与える手段としては、圧電素子を用いてもよいし、ソレノイドによる機械的振動を与える手段を用いてもよいし、これに限るものではない。つぎに、ドアに伝わったパルス振動を受信回路２５が受信をする。受信をする手段としては、圧電素子を用いてもよいし、マイクを用いてもよいし、これに限るものではない。 
【産業上の利用可能性】
【００４２】
会社や学校などの組織において、特定多数の人で一室を利用する場合、オリジナルの鍵や合い鍵などの管理が煩雑になっていて部屋の管理が大変困難であるが、本装置を使えば鍵を使用することなく、入力装置からの入力により特定多数が利用することができ、部屋の管理が容易になる。 
【００４３】
また、部屋の管理人等が部屋を貸し出した後に部屋の借用人が本電子錠を装着しても、本装置であれば部屋の管理人は従来の鍵を使うことによってその部屋の錠を解錠または施錠することができる。 
【００４４】
本装置は、指示手段と制御手段の間の通信に電磁波を使用しないで通信できる振動通信を用いることができるため、錠の周辺機器と干渉することがない。 
【図面の簡単な説明】
【００４５】
【図１】錠のサムターンとドアノブが一体となっているドアにおいて、ドアノブと電子錠装置との結合手段１１を備えた、本発明の実施の形態にかかる既設のドアに着脱可能な電子錠装置の分解斜視図。
【図２】図２の断面図。
【図３】錠を施錠方向または解錠方向に回転させるサムターンの軸１５との結合手段１を備えた本発明の実施の形態にかかる既設のドアに着脱可能な電子錠装置の分解斜視図。
【図４】図３の断面図。
【図５】本発明の実施の形態にかかる着脱可能な電子錠装置の指示手段の斜視図。
【図６】本発明の実施の形態にかかる着脱可能な電子錠装置における回路構成を簡略的に示すブロック図。
【図７】本発明の実施の形態にかかる着脱可能な電子錠装置における制御動作を簡略的に示すフローチャート図。
【符号の説明】
【００４６】
１          サムターンとの結合手段 
２          駆動手段 
３          制御手段 
４          指示手段 
５          サムターンのつまみ 
６          ドアの裏面 
７          ドアの表面 
８          ドアのノブ 
９          装置のベース 
１０    錠の鍵の差し込み口 
１１    ドアノブと電子錠装置の結合手段 
１２    解錠施錠ボタン 
１３    駆動手段の支持用のベース 
１４  ドアの開閉状態検出手段 
１５  サムターンの軸 
１６    ドアノブ回転軸 
１７    錠の取り付け穴 
１８    サムターンの中継軸 
１９    ドアノブ回転軸の中継軸 
２１  ドアノブ回転軸との結合手段 
２２    入力装置 
２３    制御回路 
２４    送信回路 
２５    受信回路 
【図１】
2007198062.tif 000003
【図２】
2007198062.tif 000004
【図３】
2007198062.tif 000005
【図４】
2007198062.tif 000006
【図５】
2007198062.tif 000007
【図６】
2007198062.tif 000008
【図７】
2007198062.tif 000009
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
サムターンとドアノブが一体となっているドアにおいて、ドアに設けられた錠を解錠または施錠方向へ回転させるためのサムターンと駆動手段とのサムターン結合手段と、そのサムターン結合手段を用いてサムターンを解錠方向および施錠方向へ回す駆動手段と、前記駆動手段の操作を行う制御手段をドアの裏面に備え、前記制御手段への指示手段をドアに備え、前記指示手段からの情報に基づき、サムターンを前記サムターン結合手段を通して前記駆動手段で回転させる電子錠装置。
【請求項２】
ドアノブに駆動手段を取り付けるために、ドアノブに駆動手段を固定する固定手段をドアの裏面にあるドアノブに備えた請求項１記載の電子錠装置。
【請求項３】
ドアに駆動手段を取り付けるために、ドアノブ回転軸中継軸と、サムターン軸中継軸をドアノブとドアの裏面との間に備えた請求項１記載の電子錠装置。
【請求項４】
ドアの開閉状態を検出する手段をドアの表裏いずれか一方の面に備えた請求項１記載の電子錠装置。
【手続補正２】
【補正対象書類名】明細書
【補正対象項目名】００１５
【補正方法】変更
【補正の内容】
【００１５】
本発明は、サムターンとドアノブが一体となっているドアにおいて、ドアに設けられた錠を解錠または施錠方向へ回転させるためのサムターンと駆動手段とのサムターン結合手段と、そのサムターン結合手段を用いてサムターンを解錠方向および施錠方向へ回す駆動手段と、前記駆動手段の操作を行う制御手段をドアの裏面に備え、前記制御手段への指示手段をドアに備え、前記指示手段からの情報に基づき、サムターンを前記サムターン結合手段を通して前記駆動手段で回転させる電子錠装置を提供することで上記問題を解決するものである。
【手続補正３】
【補正対象書類名】明細書
【補正対象項目名】００１６
【補正方法】変更
【補正の内容】
【００１６】
第２の課題解決手段は、ドアノブに駆動手段を取り付けるために、ドアノブに駆動手段を固定する固定手段をドアの裏面にあるドアノブに備えたものである。
【手続補正４】
【補正対象書類名】明細書
【補正対象項目名】００１７
【補正方法】変更
【補正の内容】
【００１７】
第３の課題解決手段は、ドアに駆動手段を取り付けるために、ドアノブ回転軸中継軸と、サムターン軸中継軸をドアノブとドアの裏面との間に備えたものである。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
この構成によれば、既設の錠のサムターンと駆動手段とのサムターン結合手段１を用いることでサムターンを有する錠ならば、電子錠装置の駆動手段とドアの錠を容易に結合することができる。また、既設の錠またはドアへの加工を必要としないため、電子錠装置を容易かつ低コストで設置することができる。
【手続補正７】
【補正対象書類名】明細書
【補正対象項目名】００２２
【補正方法】変更
【補正の内容】
【００２２】
この構成によれば、請求項１の指示手段４を、ドアの表面に設けることで、サムターンがある面であるドアの裏面にもうけられている請求項１のサムターン結合手段１と駆動手段２と制御手段３によるドアの錠の解錠または施錠をドアの表面から行うことができる。
【手続補正８】
【補正対象書類名】明細書
【補正対象項目名】００２３
【補正方法】変更
【補正の内容】
【００２３】
この構成によれば、請求項１の指示手段４には、テンキーやIDカードのような手段も用いることができるため、特定多数から請求項１のサムターン結合手段１と駆動手段２と制御手段３によるドアの錠の解錠または施錠をドアの表面から行うことができる。
【手続補正９】
【補正対象書類名】明細書
【補正対象項目名】００２４
【補正方法】変更
【補正の内容】
【００２４】
以上のように、本発明によれば、既設の錠のサムターンと駆動手段２とのサムターン結合手段１を用いることでサムターンを有する錠ならば、既設の錠への加工を必要とせず容易にかつ低コストで装着することができ、指示手段４を用いることで、ドアの表面からドアの施錠または解錠ができ、既設の錠と電子錠を併用することも可能となる。
【手続補正１０】
【補正対象書類名】明細書
【補正対象項目名】００２５
【補正方法】変更
【補正の内容】
【００２５】
以下、本発明の実施例のを図１〜図７に基づいて説明する。ここで、図１は錠のサムターンとドアノブが一体となっているドアにおいて、ドアノブに駆動手段を固定する固定手段１１を備えた本発明の実施の形態にかかる既設のドアに着脱可能な電子錠装置の分解斜視図、図２は図１の断面図、図３はドアノブ回転軸中継軸１９とサムターン軸中継軸１８を備えた本発明の実施の形態にかかる既設のドアに着脱可能な電子錠装置の分解斜視図、図４は図３の断面図、図５は本発明の実施の形態にかかる既設のドアに着脱可能な電子錠装置の指示手段４の斜視図、図６は本発明の実施の形態にかかる既設のドアに着脱可能な電子錠装置における回路構成を簡略的に示すブロック図、図７は本発明の実施の形態にかかる既設のドアに着脱可能な電子錠装置における制御動作を簡略的に示すフローチャート図である。
【手続補正１１】
【補正対象書類名】明細書
【補正対象項目名】００２６
【補正方法】変更
【補正の内容】
【００２６】
図１から図５に示すように、この既設のドアに着脱可能な電子錠装置は、錠のサムターンのつまみ５とサムターンの軸１５からなるサムターンとのサムターン結合手段１と、サムターン結合手段１を介して錠を解錠方向または施錠方向へ回転させる駆動手段２、駆動手段２を駆動手段制御用信号線２６を通じて制御する制御手段３、制御手段３へ解錠または施錠の指示を促す信号を発信する指示手段４、により構成されている。また、上記サムターン結合手段１と、上記駆動手段２、上記制御手段３はドアの裏面６に備えられ、上記指示手段４はドアの表面７へ備えられる。
【手続補正１２】
【補正対象書類名】明細書
【補正対象項目名】００２７
【補正方法】変更
【補正の内容】
【００２７】
図１と図２に示すように、錠のサムターンのつまみ５とドアノブ８とが一体となっているドアにおいて、ドアからドアノブ８の取り外しが不可能なドアの場合は、サムターンのつまみ５にサムターン結合手段１を取り付け、駆動手段２をドアノブ８に駆動手段２を固定する固定手段１１を使用して固定する。また、制御手段３はドアの裏面６に備えられ、指示手段４はドアの表面７へ備えられる。錠の解錠または施錠は、サムターンのつまみ５に取り付けたサムターン結合手段１を介して駆動手段２で解錠方向または施錠方向へ回転させることで行う。駆動手段２は駆動手段制御用信号線２６を通じて制御手段３で制御され、制御手段３への解錠または施錠の指示は指示手段４で行う。
【手続補正１３】
【補正対象書類名】明細書
【補正対象項目名】００２８
【補正方法】変更
【補正の内容】
【００２８】
図２に示すように、駆動手段２をドアノブに駆動手段を固定する固定手段１１で固定することで、錠のサムターンのつまみ５とドアノブ８とが一体となっているドアにおいても、錠の解錠または施錠は、サムターンのつまみ５に取り付けたサムターン結合手段１を介して駆動手段２で解錠方向または施錠方向へ回転させることで行うことができる。
【手続補正１４】
【補正対象書類名】明細書
【補正対象項目名】００２９
【補正方法】変更
【補正の内容】
【００２９】
図３と図４で示すように、錠のサムターンのつまみ５とドアノブ８とが一体となっているドアにおいて、ドアからドアノブ８の取り外しが可能なドアの場合は、ドアに設けられているドアノブ８を取り外し、ドアの裏面６とドアノブ８の間に駆動手段２を備える。また、制御手段３はドアの裏面６に備えられ、指示手段４はドアの表面７へ備えられる。錠の解錠または施錠はサムターン結合手段１を介して駆動手段２で解錠方向または施錠方向へ回転させることで行う。駆動手段２は駆動手段制御用信号線２６を通じて制御手段３で制御され、制御手段３への解錠または施錠の指示は指示手段４で行う
【手続補正１５】
【補正対象書類名】明細書
【補正対象項目名】００３０
【補正方法】変更
【補正の内容】
【００３０】
さらに、サムターン結合手段１をサムターンに取り付けても、手動でサムターンのつまみ５を回しても錠を施錠または解錠することができるようにドアノブ８とドアの裏面６の間にサムターン軸中継軸１８を備えて、サムターンのつまみ５の回転を錠に中継している。
【手続補正１６】
【補正対象書類名】明細書
【補正対象項目名】００３１
【補正方法】変更
【補正の内容】
【００３１】
また、この電子錠装置ではドアノブ回転軸中継軸をドアノブ８とドアの裏面６の間に備えているために、ドアの裏面６とドアノブ８の間に駆動手段２を備えてもドアノブの回転をドアの錠に中継することができ、人の手でドアノブ８を回転させてドアの開閉を可能にしている。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】変更
【補正の内容】
【００３３】
図１から図４で示される駆動手段２は、サムターンのつまみ５またはサムターン軸１５をサムターン結合手段１で解錠方向または施錠方向へ回転させるものある。この駆動手段２は、モータやソレノイドなどを用いるが、これに限るものではない。
【手続補正１９】
【補正対象書類名】明細書
【補正対象項目名】００３４
【補正方法】変更
【補正の内容】
【００３４】
図１から図４で示される制御手段３とは、指示手段４からの信号を受信回路２５で受信し、その信号に基づいて解錠または施錠するか否かを判断し解錠または施錠を実行するものである。また、制御手段３は駆動手段制御用信号線２６を通じて駆動手段２を制御して錠の解錠または施錠を実行する。
【手続補正２０】
【補正対象書類名】明細書
【補正対象項目名】００４１
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】変更
【補正の内容】
【００４５】
【図１】錠のサムターンとドアノブが一体となっているドアにおいて、ドアノブに駆動手段を固定する固定手段１１を備えた本発明の実施の形態にかかる既設のドアに着脱可能な電子錠装置の分解斜視図。
【図２】図１の断面図。
【図３】ドアノブ回転軸中継軸１９とサムターン軸中継軸１８を備えた本発明の実施の形態にかかる既設のドアに着脱可能な電子錠装置の分解斜視図。
【図４】図３の断面図。
【図５】本発明の実施の形態にかかる着脱可能な電子錠装置の指示手段の斜視図。
【図６】本発明の実施の形態にかかる着脱可能な電子錠装置における回路構成を簡略的に示すブロック図。
【図７】本発明の実施の形態にかかる着脱可能な電子錠装置における制御動作を簡略的に示すフローチャート図。
【手続補正２３】
【補正対象書類名】明細書
【補正対象項目名】００４６
【補正方法】変更
【補正の内容】
【００４６】
１      サムターン結合手段
２      駆動手段
３      制御手段
４      指示手段
５      サムターンのつまみ
６      ドアの裏面
７      ドアの表面
８      ドアのノブ
９      装置のベース
１０    錠の鍵の差し込み口
１１    ドアノブに駆動手段を固定する固定手段
１２    解錠施錠ボタン
１３    駆動手段の支持用のベース
１４    ドアの開閉状態検出手段
１５    サムターン軸
１６    ドアノブ回転軸
１７    錠の取り付け穴
１８    サムターン軸中継軸
１９    ドアノブ回転軸中継軸
２１    ドアノブ回転軸結合手段
２２    入力装置
２３    制御回路
２４    送信回路
２５    受信回路
２６    駆動手段制御用信号線
【手続補正２４】
【補正対象書類名】図面
【補正対象項目名】図１
【補正方法】変更
【補正の内容】
【図１】
2007198062.tif 000010
【手続補正２５】
【補正対象書類名】図面
【補正対象項目名】図２
【補正方法】変更
【補正の内容】
【図２】
2007198062.tif 000011
【手続補正２６】
【補正対象書類名】図面
【補正対象項目名】図３
【補正方法】変更
【補正の内容】
【図３】
2007198062.tif 000012
【手続補正２７】
【補正対象書類名】図面
【補正対象項目名】図４
【補正方法】変更
【補正の内容】
【図４】
2007198062.tif 000013
【手続補正２８】
【補正対象書類名】図面
【補正対象項目名】図５
【補正方法】変更
【補正の内容】
【図５】
2007198062.tif 000014
【手続補正２９】
【補正対象書類名】図面
【補正対象項目名】図６
【補正方法】変更
【補正の内容】
【図６】
2007198062.tif 000015
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
サムターンと着脱可能なドアノブが一体となっているドアにおいて、サムターンのつまみから伸びるサムターン軸を回転駆動する駆動手段をドアの裏面とドアノブとの間に備え、サムターン軸と駆動手段を結合するサムターン結合手段を備え、ドアの裏面のサムターン軸とドアの表面のサムターン軸を接続するサムターン軸中継軸を備え、ドアの裏面のドアノブ回転軸とドアの裏面のドアノブ回転軸を接続するドアノブ回転軸中継軸を備え、前記駆動手段の操作を行う制御手段をドアの裏面に備え、前記制御手段への指示手段をドアに備え、前記指示手段からの情報に基づき、サムターン軸を前記サムターン結合手段を通して前記駆動手段で回転させる電子錠装置。
【手続補正２】
【補正対象書類名】明細書
【補正対象項目名】全文
【補正方法】変更
【補正の内容】
【発明の詳細な説明】
【技術分野】
【０００１】
本発明は、既存のサムターンを有する錠に対して着脱が容易に行える電子錠装置に関するものである。
【背景技術】
【０００２】
従来の電子錠は、電磁ソレノイドや電気モータ等による錠の駆動手段をドアの内部に設け、施錠および解錠を行うものである。
【０００３】
従来の電子錠は、通常のドアの錠とは構造が異なるため、設置するためには既設のドアの錠をすべて取り除き、新しく取り替えなければならない。
【０００４】
実用新案登録３０９７４４５号で開示されている電気錠アダプターは、サムターンをコの字型の係合手段を用いて駆動手段により駆動しており、その駆動手段は赤外線リモコンからの操作によりサムターンを施錠および解錠方向へ駆動する電気錠アダプターである。しかしながら、実用新案登録３０９７４４５号で開示されている電気錠アダプターは赤外線リモコンで操作して駆動手段を動作させるため、ガラスなどの赤外線を通す材質を用いたドアでしか利用できない。更に、駆動手段を搭載する本体へリモコンを向けて操作しなければならないため、本体の設置されている面である裏面とは別の面である表面から駆動手段を動作することが困難または不可能であった。
【０００５】
実用新案登録３０９７４４５号では、特定多数で部屋などを利用する場合においては、人数分のリモコンを用意しなければならいことで非常にコストがかかり、更に多数のリモコンを管理することが大変であった。
【０００６】
実用新案登録３０８２２４０号で開示されているピッキング防止装置では、外部からの操作で駆動手段を作動させ錠のサムターンに対して操作を行っており、ピッキング可能な回転トルクより大きなトルクを錠のサムターンに対して加えることでピッキングを防止するピッキング防止装置であり、錠のサムターンを駆動して錠の解錠および施錠する機能を有するものではない。
【０００７】
特開平９−１６５９４９号で開示されている電子錠は、スイッチにより無線信号を送信する送信ユニットと無線信号を受信してドアの錠のサムターンを回転駆動する回転駆動手段を設けた電子錠である。しかしながら、特開平９−１６５９４９号で開示されている電子錠は、サムターン結合手段１を用いていないために、図１から図３のようなサムターンと着脱可能なドアノブが一体となったドアにおいて、サムターン軸との結合が不可能であるため、サムターンと着脱可能なドアノブが一体となったドアに取り付けることができない。
【０００８】
特開平９−１６５９４９号では、特定多数で部屋などを利用する場合においては、人数分の送信ユニットを用意しなければならいことで非常にコストがかかり、更に多数の送信ユニットを管理することが大変であった。
【０００９】
実用新案登録３０９７４４５号で開示されている電気錠アダプターと特開平９−１６５９４９号で開示されている電子錠では、ドアの開閉センサを用いていないために、ドアが開放している状態であっても、装置が錠を施錠する可能性があるため、ドアの施錠が不完全になることがある。
【００１０】
【特許文献１】実用新案登録３０９７４４５号
【特許文献２】実用新案登録３０８２２４０号
【特許文献３】特開平９−１６５９４９号
【発明の開示】
【発明が解決しようとする課題】
【００１１】
従来の電子錠はドア内部に電子錠の装置を組み込んで機能させていたため、設置するためにはドア自体を取り替えるかまたは、ドアに既設された錠の部分をすべて取り替える必要があった。
【００１２】
このため、従来の電子錠は容易に設置できるものではなく、設置にコストがかかってしまうなどの問題があった。
【００１３】
従来の電子錠ではドアの錠自体を取り替えるために取り替えた後に取り替える前の状態に戻すことが困難である。そのため、賃貸住宅や借用している部屋のドアに設置し、部屋の返却をするとき、取り替える前の状態に戻すことが困難または不可能であった。
【００１４】
従来の電子錠ではドアの錠自体を取り替えるために、既設の錠を残して、既設の錠と電子錠を併用することができなかった。
【課題を解決するための手段】
【００１５】
本発明は、サムターンと着脱可能なドアノブが一体となっているドアにおいて、サムターンのつまみから伸びるサムターン軸を回転駆動する駆動手段をドアの裏面とドアノブとの間に備え、サムターン軸と駆動手段を結合するサムターン結合手段を備え、ドアの裏面のサムターン軸とドアの表面のサムターン軸を接続するサムターン軸中継軸を備え、ドアの裏面のドアノブ回転軸とドアの裏面のドアノブ回転軸を接続するドアノブ回転軸中継軸を備え、前記駆動手段の操作を行う制御手段をドアの裏面に備え、前記制御手段への指示手段をドアに備え、前記指示手段からの情報に基づき、サムターン軸を前記サムターン結合手段を通して前記駆動手段で回転させる電子錠装置を提供することで上記問題を解決するものである。
【発明の効果】
【００１６】
この構成によれば、既設の錠のサムターンを有する錠ならば、サムターン軸１５と駆動手段２とのサムターン結合手段１を用いることで、電子錠装置の駆動手段２とドアの錠を容易に結合することができる。また、既設の錠またはドアへの加工を必要としないため、電子錠装置を容易かつ低コストで設置することができる。
【００１７】
この構成によれば、本電子錠は既設の錠に取り付けられるため、本装置を装着しても既設の錠と電子錠を併用することができる。
【００１８】
この構成によれば、請求項１の指示手段４を、ドアの表面７に設けるため、サムターンのつまみがある面であるドアの裏面６に設けられている請求項１のサムターン結合手段１と駆動手段２と制御手段３によるドアの錠の解錠および施錠をドアの表面７から行うことができる。
【００１９】
この構成によれば、請求項１の指示手段４には、テンキーやＩＤカードのような手段も用いることができるため、特定多数から請求項１のサムターン結合手段１と駆動手段２と制御手段３によるドアの錠の解錠および施錠をドアの表面７から行うことができる。
【００２０】
以上のように、本発明によれば、既設の錠のサムターン軸１５と駆動手段２とのサムターン結合手段１を用いることでサムターン軸１５を有する錠ならば、既設の錠への加工を必要とせず容易にかつ低コストで装着することができ、指示手段４を用いることで、ドアの表面７からドアの施錠および解錠ができ、既設の錠と電子錠を併用することも可能となる。
【発明を実施するための最良の形態】
【００２１】
以下、本発明の実施例のを図１〜図５に基づいて説明する。ここで、図１は本発明の実施の形態にかかる既設のドアに着脱可能な電子錠装置の分解斜視図、図２は図１の断面図であり通常の錠内部にあるデッドボルトやラッチボルトを省いた図、図３は本発明の実施の形態にかかる既設のドアに着脱可能な電子錠装置の指示手段４の斜視図、図４は本発明の実施の形態にかかる既設のドアに着脱可能な電子錠装置における回路構成を簡略的に示すブロック図、図５は本発明の実施の形態にかかる既設のドアに着脱可能な電子錠装置における制御動作を簡略的に示すフローチャート図である。
【００２２】
図１と図２で示すように、錠のサムターン５と着脱可能なドアノブ８とが一体となっているドアにおいて、ドアに設けられているドアノブ８を取り外し、ドアの裏面６とドアノブ８との間に駆動手段２を備える。このとき、サムターン結合手段１はサムターン軸１５と駆動手段２との間に取り付けられる。また、制御手段３はドアの裏面６に備えられ、指示手段４はドアの表面７へ備えられる。錠の解錠および施錠は、サムターン結合手段１を介して駆動手段２で解錠方向および施錠方向へ回転させることで行う。駆動手段２は駆動手段制御用信号線２６を通じて制御手段３で制御され、制御手段３への解錠および施錠の指示は指示手段４で行う。
【００２３】
さらに、着脱可能なドアノブ８とドアの裏面６との間に駆動手段２を備えた状態、すなわち着脱可能なドアノブ８がドアの裏面６から分離された状態においても、手動でサムターンのつまみ５を回したときに、サムターンのつまみ５の回転をドアの裏面に設けられている錠に中継し、錠を施錠および解錠することができるように、ドアの表面のサムターン軸とドアの裏面のサムターン軸を接続するサムターン軸中継軸１８を備えている。
【００２４】
同様に、着脱可能なドアノブ８とドアの裏面６との間に駆動手段２を備えた状態、すなわち着脱可能なドアノブ８とドアの裏面６が分離された状態においても、着脱可能なドアノブ８の回転をドアの裏面６に中継し、ドアの開閉が行えるように、ドアの表面のドアノブ回転軸とドアの裏面のドアノブ回転軸を接続するドアノブ回転軸中継軸１９を備えている。
【００２５】
錠のサムターン５と着脱可能なドアノブ８とが一体となっているドアの錠の仕組みでは、サムターン軸を回転すると錠からデッドボルトが出入りしドアの施錠解錠を可能にしている。ドアノブ回転軸を回転すると、錠からラッチボルトが出入りし、ドアの開閉を可能にしている。なお、図２には錠の仕組みにあるラッチボルトとデッドボルトは省略してある。
【００２６】
図１と図２で示されるサムターン結合手段１は、駆動手段２からの駆動による回転をドアの裏面６に備えられた錠（サムターン軸１５）に伝えるものである。このサムターン結合手段１をギヤで実現すると、サムターン結合手段であるギヤをサムターン軸１５に差し込み、そのギヤを駆動手段２で回転させ実現するが、これに限るものではない。
【００２７】
図１と図２で示される駆動手段２は、サムターン軸１５をサムターン結合手段１で解錠方向および施錠方向へ回転させるものある。この駆動手段２は、電気モータや電磁ソレノイドなどを用いるが、これに限るものではない。
【００２８】
図１と図２で示される制御手段３とは、指示手段４からの信号を受信回路２５で受信し、その信号に基づいて解錠または施錠するか否かを判断し解錠または施錠を実行するものである。また、制御手段３は駆動手段制御用信号線２６を通じて駆動手段２を制御して錠の解錠および施錠を実行する。
【００２９】
図１と図２で示されるドアの開閉状態検出手段１４は、ドアの開閉状態を検出して、制御手段３に伝達する。ドアの開閉状態検出手段１４によって検出したドアの開閉状態が閉の時のみ、制御手段３が判断して駆動手段２によってドアの施錠をする。また、ドアの開閉状態検出手段１４には、磁気センサや赤外線センサなどを用いてもよいし、これに限るものでない。
【００３０】
図３で示すように、本装置の指示手段４は、ドアの表面７（鍵差し込み口１０の備えられてある方）に備えられ、指示手段４は図３に示すキーパッドのような入力装置２２からの信号を送信回路２４を用いて制御手段３に伝送する。指示手段４には、ＩＤカードや指紋照合、声紋照合などを用いてもよいし、これに限るものではない。
【００３１】
図３で示すように、指示手段４は錠の鍵差し込み口１０をふさがない構造になっているので、本装置の故障や電源不足によって本装置が動作しなくなっても、既存の鍵を鍵差し込み口に差して錠を施錠および解錠することができる。
【００３２】
図４に示すように、本装置の回路構成は、キーパッドなどの入力装置２２と、入力された情報を制御手段３へ送信する送信回路２４から構成される指示手段４、指示手段４からの情報を受ける受信回路２５と、ドアの開閉状態検出手段１４や解錠施錠用ボタン１２からの信号に従って駆動手段２を操作する制御回路２３から構成される制御手段３で構成される。
【００３３】
図５で指示手段４の処理手順を示す。ステップS１においてキーパッドによる情報の入力をする。ステップS２で入力された情報を制御手段３に向けて送信回路２４を用いて送信する。
【００３４】
図５で制御手段３の処理手順を示す。ステップS３では、ドアの裏面６に備えてある錠の解錠ボタン１２が押されたかを判断する。ステップS３においてボタン１２が押されていれば内側からの解錠要求なのでステップS７へ進む。ステップS３においてボタン１２が押されていなければステップS４へ進む。ステップS４では指示手段４からの情報信号を受信しているかを判断する。ステップS４において受信していなければ、再びステップS３へ戻る。ステップS４において情報信号を受信していればステップS６へ進む。ステップS６ではS５の認証識別用のデータと受信信号を照らし合わせる。ステップS６において信号が一致しなければ再びステップS３へ戻る。ステップS６において信号が一致していれば解錠を許可されるのでステップS７へ進む。ステップS７では駆動手段２を駆動して錠を解錠する。このときに初めてドアを開閉できるようになる。そして、ステップS８へ進む。ステップS８ではドアの開閉状態検出手段１４を用いてドアの開閉の状態を判断し、ドアが開放されるまで待機する。ドアが一度開放されるとステップS９へ進む。ステップS９でもドアの開閉センサ対１４を用いてドアの開閉の状態を判断し、ドアが閉じられるまで待機する。ステップS９においてドアが閉められると、再びステップS３の状態に戻りドアの錠を施錠する。
【産業上の利用可能性】
【００３５】
会社や学校などの組織において、特定多数の人で一室を利用する場合、オリジナルの鍵や合い鍵などの管理が煩雑になっていて部屋の管理が大変困難であるが、本装置を使えば鍵を使用することなく、入力装置からの入力により特定多数が利用することができ、部屋の管理が容易になる。
【００３６】
また、部屋の管理人等が部屋を貸し出した後に部屋の借用人が本電子錠を装着しても、本装置であれば部屋の管理人は従来の鍵を使うことによってその部屋の錠を解錠および施錠することができる。
【図面の簡単な説明】
【００３７】
【図１】本発明の実施の形態にかかる既設のドアに着脱可能な電子錠装置の分解斜視図。
【図２】図２は図１の断面図であり通常の錠内部にあるデッドボルトやラッチボルトを省いた図。
【図３】本発明の実施の形態にかかる着脱可能な電子錠装置の指示手段の斜視図。
【図４】本発明の実施の形態にかかる着脱可能な電子錠装置における回路構成を簡略的に示すブロック図。
【図５】本発明の実施の形態にかかる着脱可能な電子錠装置における制御動作を簡略的に示すフローチャート図。
【符号の説明】
【００３８】
１      サムターン結合手段
２      駆動手段
３      制御手段
４      指示手段
５      サムターンのつまみ
６      ドアの裏面
７      ドアの表面
８      着脱可能なドアノブ
９      装置のベース
１０    錠の鍵の差し込み口
１１    ドアノブに駆動手段を固定する固定手段
１２    解錠施錠ボタン
１３    駆動手段の支持用のベース
１４    ドアの開閉状態検出手段
１５    サムターン軸
１６    ドアノブ回転軸
１７    錠の取り付け穴
１８    サムターン軸中継軸
１９    ドアノブ回転軸中継軸
２１    ドアノブ回転軸結合手段
２２    入力装置
２３    制御回路
２４    送信回路
２５    受信回路
２６    駆動手段制御用信号線
【手続補正３】
【補正対象書類名】図面
【補正対象項目名】全図
【補正方法】変更
【補正の内容】
【図１】
2007198062.tif 000016
【図２】
2007198062.tif 000017
【図３】
2007198062.tif 000018
【図４】
2007198062.tif 000019
【図５】
2007198062.tif 000020